(57)【要約】【目的】陽電池に対し太陽光が当たり難い設置場所でも、太陽光を出来るだけ当たり易くするようにした照明装置を提供する。【解決手段】被照明部（バス時刻表示部）１２を照らす照明装置Ａであって、被照明部１２を有する構造体（バス停標識塔）Ｂに取り付けられ、太陽電池１を電源として光を発生する光源を備えた装置本体３と、装置本体３に取り付けられ、太陽電池１を保持する太陽電池ホルダー４とからなり、太陽電池ホルダー４は、装置本体３に対し水平回りに回転調整可能に取り付けられている。【選択図】図２
2005093137.tif 000002
【特許請求の範囲】
【請求項１】
被照明部を照らす照明装置であって、
被照明部を有する構造体に取り付けられ、太陽電池を電源として光を発生する光源を備えた装置本体と、この装置本体に取り付けられ、太陽電池を保持する太陽電池ホルダーとからなり、
前記ホルダーは、装置本体に対し水平回りに回転調整可能に取り付けられていることを特徴とする照明装置。
【請求項２】
前記装置本体は、被照明部を有する前記構造体に対し水平方向スライド調整可能に取り付けられていることを特徴とする請求項１に記載の照明装置。
【請求項３】
被照明部を照らす照明装置であって、
被照明部を有する構造体に取り付けられ、太陽電池を電源として光を発生する光源を備えた装置本体と、太陽電池を保持する太陽電池ホルダーとからなり、
前記ホルダーは、被照明部を有する構造体とは別の構造体に取り付けられることを特徴とする照明装置。
【発明の詳細な説明】
【技術分野】
【０００１】
本発明は、例えばバス停標識塔に取り付けられて、その時刻表示部が夜間等でも見えるように明るく照らす、太陽電池利用の照明装置に関するものである。
【背景技術】
【０００２】
従来の技術として、公知文献を具体的に挙げることは出来ないが、例えばバス停標識塔用の照明装置は、標識塔本体に取り付けられ、太陽電池を電源として光を発生する光源を備えた装置本体と、この装置本体に固定され、太陽電池を保持する太陽電池ホルダーとからなるもので、装置本体の光源から発せられる光によって、標識塔本体に設けてある時刻表示部（被照明部）を明るく照らすようになっている。
【発明の開示】
【発明が解決しようとする課題】
【０００３】
上記従来の照明装置では、太陽電池を保持する太陽電池ホルダーが装置本体の定位置に固定的に取り付けられる構造となっているため、設置場所によっては、太陽電池の受光部に太陽光が当たり難い場合があって、太陽電池が必要日照時間を確保できないことがあった。
【０００４】
本発明は、太陽電池に対し太陽光が当たり難い設置場所でも、太陽光を出来るだけ当たり易くするようにした照明装置を提供することを目的とする。
【課題を解決するための手段】
【０００５】
請求項１に係る発明は、被照明部（例えばバス時刻表示部）１２を照らす照明装置であって、被照明部を有する構造体（バス停標識塔）Ｂに取り付けられ、太陽電池１を電源として光を発生する光源（例えば発光ダイオード）２を備えた装置本体３と、この装置本体３に取り付けられ、太陽電池１を保持する太陽電池ホルダー４とからなり、前記ホルダー４は、装置本体３に対し水平回りに回転調整可能に取り付けられていることを特徴とする。
【０００６】
請求項２は、請求項１に記載の照明装置において、前記装置本体３は、被照明部１２を有する前記構造体Ｂに対し水平方向スライド調整可能に取り付けられていることを特徴とする。
【０００７】
請求項３に係る発明は、被照明部（例えばバス時刻表示部）１２を照らす照明装置であって、被照明部を有する構造体（バス停標識塔）Ｂに取り付けられ、太陽電池１を電源として光を発生する光源（例えば発光ダイオード）２を備えた装置本体３と、太陽電池１を保持する太陽電池ホルダー４とからなり、前記ホルダー４は、被照明部１２を有する構造体Ｂとは別の構造体（例えばバス停のシェルター）Ｃに取り付けられることを特徴とする。
【発明の効果】
【０００８】
請求項１に係る発明の照明装置によれば、太陽電池ホルダーが装置本体に対し水平回りに回転調整可能に取り付けられるから、照明装置を設置するにあたり、太陽電池に対し太陽光が当たり難い設置場所であっても、太陽電池ホルダーを水平回りに適宜に回転させて装置本体に対し所望の位置に取り付けることによって太陽光が太陽電池に当たり易く設定することができ、これにより必要日照時間を確保することができる。
【０００９】
請求項２に係る発明の照明装置によれば、装置本体が、被照明部を有する構造体にに対し水平方向スライド調整可能に取り付けられているから、照明装置を設置するにあたって、装置本体を構造体に対し適宜スライドさせて所望位置に取り付けることによって、太陽電池が太陽光の照射を出来るだけ受け易くすることが可能となる。
【００１０】
請求項３に係る発明の照明装置によれば、太陽電池ホルダーが被照明部を有する構造体とは別の構造体に取り付けられるようにすることにより、被照明部を有する構造体よりもっと太陽光を受けることのできる位置でのホルダーの取付けが可能となる。
【発明を実施するための最良の形態】
【００１１】
以下に、本発明に係る照明装置をバス停標識塔に実施した例について、図面を参照しながら説明する。図１は本発明に係る照明装置Ａが設置されたバス停標識塔Ｂを示す斜視図、図２は図１の一部拡大斜視図で、照明装置Ａを斜め下方から見た斜視図、図３は同照明装置Ａを斜め上方から見た斜視図である。また図４の(a) は同照明装置Ａの平面図、(b)
は正面図であり、図５の(a) は同照明装置Ａの側面図、(b) は底面図である。図６は図４の(a) のＸ−Ｘ線断面図である。
【００１２】
この照明装置Ａは、バス停標識塔Ｂの標識塔本体１１に取り付けられ、太陽電池１を電源として光を発生する光源である例えば発光ダイオード２（図６参照）を内蔵した装置本体３と、この装置本体３に取り付けられ、太陽電池１を保持する太陽電池ホルダー４とからなるもので、太陽電池ホルダー４は、装置本体３に対し水平回りに回転調整可能に取り付けられている。
【００１３】
上記照明装置Ａの構造について更に詳しく説明すると、  装置本体３は、図６から分かるように、上面側が開口した略々箱状の本体ケース部５と、この本体ケース部５の上面側開口部を閉蓋する蓋部６とからなるもので、本体ケース部５の後端側壁５ａが、標識塔本体１１の正面側上端部に取り付けられた横長板状の取付部材７に、その長手方向、即ち水平方向スライド調整可能にボルト１７止めされている。尚、蓋部６は、その下端周縁部に本体ケース部５に外嵌合する周鍔部６ａが下向きに突設されていて、本体ケース部５に外嵌合させた状態でこの周鍔部６ａから本体ケース部５にビス１９をねじ込んで固定されるようになっている。尚、本体ケース部５及び蓋部６は、夫々アルミニウム等の金属材、あるいは合成樹脂によって形成される。
【００１４】
本体ケース部５内には、太陽電池ホルダー４内の太陽電池１と電気的に接続され、この太陽電池１で発生した電気を蓄電するバッテリー８と、このバッテリー８と電気的に接続されている発光ダイオード２（光源）とが夫々所定位置に装備されている。また、本体ケース部５の底板部５ｂには、発光ダイオード２からの光を標識塔本体１１のバス時刻表示部（被照明部）１２に投射する光投射窓１３が設けられ、この光投射窓１３の内側に透明樹脂製の透光板１４が取り付けられている。
【００１５】
標識塔本体１１に取り付けられた前記取付部材７の前面側には長手方向に延びる断面略々Ｔ字状のボルト頭部嵌合溝１５が上下２段に亘って条設されている。また本体ケース部５の後端側壁５ａには上下左右４つのボルト挿通孔１６が所定位置に設けられている。しかして、装置本体３を標識塔本体１１に取り付けるには、取付部材７を標識塔本体１１の正面側上端部にビス２２止めして固定し、この取付部材７の上下２つのボルト頭部嵌合溝１５，１５に夫々２個ずつボルト１７の頭部を嵌合して、各ボルト１７を本体ケース部５の後端側壁５ａのボルト挿通孔１６に挿通し、その挿通端部にナット１８を軽く螺合した状態で、本体ケース部５を水平方向に適宜スライドさせた後、ナット１８を締め付けることによって、本体ケース部５を標識塔本体１１の所要位置に固定することができる。
【００１６】
また、図６に示すように、取付部材７の下端部には支持片７ａが取付部材７の前面に対し直角に突設されているから、本体ケース部５の下端部を図示のように支持片７ａ上に支持させることによって、本体ケース部５を取付部材７に対し安定状態に取り付けることができると共に、本体ケース部５をスライドさせる際には支持片７ａをガイドにして本体ケース部５のスライド操作を容易に行わせることができる。
【００１７】
太陽電池１は、その表面側が受光部を形成したもので、トレー状の太陽電池ホルダー４に載置させた状態で両端部をビス２３によってホルダー４に固定することによって、このホルダー４に保持させるようにしている。太陽電池ホルダー４にはその一側部中央に、略々Ｌ字状の取付アーム９が下向きに突設してあって、この取付アーム９の取付台座部９ａが、その中央箇所で装置本体３の蓋部６の中央部に枢着用ビス１０により枢着され、この枢着用ビス１０によって太陽電池ホルダー４は、装置本体３に対し水平回りに回転調整可能に取り付けられることになる。
【００１８】
装置本体３に対する太陽電池ホルダー４の水平回りの位置調整を終えた後は、取付台座部９ａの先端部から装置本体３の蓋部６にねじ込まれる固定用ビス２０により取付アーム９の取付台座部９ａを装置本体３の蓋部６に固定して、太陽電池ホルダー４を装置本体３に対し水平回り回転不能に固定する。尚、図６に示すように、装置本体３の蓋部６には裏面中央部に補強板２１が取り付けてあって、枢着用ビス１０及び固定用ビス２０は、この補強板２１を貫通するようにねじ込まれる。
【００１９】
図７の (a)〜(d) は、上記の枢着用ビス１０を利用して太陽電池ホルダー４を種々異なった向きに装置本体３に取り付けた例を示す平面図である。 (a)は太陽電池１が標識塔本体１１の幅方向と直交する向きに太陽電池ホルダー４を装置本体３に取り付けた状態を示し、 (b)は太陽電池１が標識塔本体１１の幅方向と平行する向きに太陽電池ホルダー４を装置本体３に取り付けた状態を示す。また、 (c)は (a)と同じく太陽電池１が標識塔本体１１の幅方向と直交するが、太陽電池１が枢着用ビス１０を挟んで (a)の場合とは反対側に位置するように、太陽電池ホルダー４を装置本体３に取り付けた状態を示す。そして、(d) は太陽電池１が標識塔本体１１の幅方向と斜交する向きに太陽電池ホルダー４を装置本体３に取り付けた状態を示す。
【００２０】
上記のように、この照明装置Ａにおいては、太陽電池ホルダー４が装置本体３に対し水平回りに回転調整可能に取り付けられるようになっているから、照明装置Ａを設置するにあたっては、太陽電池１に対し太陽光が当たり難い設置場所であっても、太陽電池ホルダー４を水平回りに適宜に回転させて装置本体３に対し所望の位置に取り付けることによって、太陽光が太陽電池１に当たり易くすることができ、これにより必要日照時間を確保することができる。
【００２１】
また、この照明装置Ａにおいては、装置本体３は、バス停標識塔Ｂの標識塔本体１１に対し水平方向スライド調整可能に取り付けられているから、照明装置Ａを設置するにあたって、装置本体３を標識塔本体１１に対し適宜スライドさせて所望位置に取り付けることによって、太陽電池１が太陽光の照射を出来るだけ受け易くすることが可能となる。
【００２２】
図８は、装置本体３の蓋部６の取付構造が図１〜図７に示す装置本体３のものと若干異なる場合を示す。即ち、この図８の装置本体３の蓋部６は、平板状に形成されていて、装置本体３の上端開口部周縁に突設された複数の蓋受け片５ａに当接支持されて、この平板状蓋部６の周縁部から装置本体３の各蓋受け片５ａにビス１９止めされて固定されるようになっている。他の構造については図１〜図７に示す装置本体３と同じであるから、同一符号を付して説明を省略する。
【００２３】
上述した図１〜図８で示される実施形態の照明装置Ａでは、太陽電池ホルダー４が装置本体３に取り付けられているが、図９は、太陽電池ホルダー４が装置本体３に対し分離して、被照明部１２を有するバス停標識塔Ｂ（構造体）とは別の構造体である例えばバス停のシェルターＣに取り付けられた場合の照明装置Ａを示す。即ち、太陽電池ホルダー４は、取付アーム９によってシェルターＣの屋根部に取付け固定されている。これ以外の構成については、図１〜図８で示される照明装置Ａと同じで、装置本体３は、被照明部１２を有する構造体Ｂに対し水平方向スライド調整可能に取り付けられている。
【００２４】
上記のように太陽電池ホルダー４が装置本体３に対し分離して取り付けられるようにすれば、被照明部１２を有する構造体Ｂよりもっと有効に太陽光を受けることのできる位置、例えばバス停のシェルターＣの屋根部のようにバス停標識塔Ｂよりも高い位置でのホルダー４の取付けが可能となる。この場合、太陽電池ホルダー４は、取付アーム９によってシェルターＣの屋根部に位置調整可能に取り付けることによって、太陽光の照射を有効に受けるようにすることができる。
【００２５】
以上、本発明に係る照明装置Ａをバス停標識塔Ｂに実施した実施形態について説明したが、本発明の照明装置は、バス停標識塔の限るものではなく、掲示板や表札などの照明装置として使用される。
【図面の簡単な説明】
【００２６】
【図１】本発明に係る照明装置が設置されたバス停標識塔を示す斜視図である。
【図２】図１の一部拡大斜視図で、照明装置を斜め下方から見た斜視図である。
【図３】同照明装置を斜め上方から見た斜視図である。
【図４】(a) は同照明装置の平面図、(b) は正面図である。
【図５】(a) は同照明装置の側面図、(b) は底面図である。
【図６】図４の(a) のＸ−Ｘ線断面図である。
【図７】(a)〜(d) は太陽電池ホルダーを装置本体に対し種々の向きで取り付けた例を示す平面図である。
【図８】装置本体の蓋部６の取付構造の他の例を示すもので、(a) は図３と同様な斜視図、(b) は図６と同様な断面図である。
【図９】太陽電池ホルダーが装置本体に対し分離して、バス停のシェルターに取り付けられた場合を示す斜視図である。
【符号の説明】
【００２７】
Ａ            照明装置
Ｂ            バス停標識塔（構造体）
Ｃ            バス停のシェルター（構造体）
１            太陽電池
２            発光ダイオード（光源）
３            装置本体
４            太陽電池ホルダー
１１          バス停標識塔の標識塔本体
１２          バス時刻表示部（被照明部）
【図１】
2005093137.tif 000003
【図２】
2005093137.tif 000004
【図３】
2005093137.tif 000005
【図４】
2005093137.tif 000006
【図５】
2005093137.tif 000007
【図６】
2005093137.tif 000008
【図７】
2005093137.tif 000009
【図８】
2005093137.tif 000010
【図９】
2005093137.tif 000011